(57)【要約】      （修正有）【課題】蓋の浮上りを防止しするとともに、閉蓋を容易に保持することができる包装箱の蓋係止構造を提供する。【解決手段】本体１ａと蓋１ｂから構成されており、該本体１ａは平面視多角形の底板２の外周辺に連設した周壁４ｂの上端に、略水平方向内向きに折曲げて周壁４ｂを補強する上部フラップ１１ａ，１１ｂを連設した。また蓋１ｂは該本体１ａの周壁４ｂの上端に嵌合する蓋周壁７を天板６に連設し、隣接し合う蓋周壁７の一方の蓋周壁７の端部に他方の蓋周壁の端部の内面に重なり合うように折曲げ接着して周壁コーナーを形成する接着片８を連設した。そして上記天板６の前辺側を本体１ａ側の前周壁上端側に被せるように、天板６の後辺側を後方側の周壁３ｂの上端に折曲げ開閉可能に連設した構成となっている。【選択図】図４
0003102426.tif 000002
【実用新案登録請求の範囲】
【請求項１】
平面視多角形の底板（２）の外周辺に連設した周壁（３ａ），（４ａ），（４ｂ）の上端に、略水平方向内向きに折曲げて周壁（３ａ），（４ａ），（４ｂ）を補強する上部フラップ（１１ａ），（１１ｂ）を連設した本体（１ａ）と、該本体（１ａ）の周壁（３ａ），（４ａ），（４ｂ）の上端に嵌合する蓋周壁（７），（９）を天板（６）に連設し、隣接し合う蓋周壁（７），（９）の一方の蓋周壁（７）の端部に他方の蓋周壁（９）の端部の内面に重なり合うように折曲げ接着して周壁コーナーを形成する接着片（８）を連設した蓋（１ｂ）とを備え、上記天板（６）の前辺側を本体（１ａ）側の前周壁（３ａ）上端側に被せるように、天板（６）の後辺側を後方側の周壁（３ｂ）の上端に折曲げ開閉可能に連設した包装箱（１）において、蓋（１ｂ）が開閉嵌合される本体（１ａ）側の前端コーナー部（２７）の周壁（４ｂ）と上部フラップ（１１ｂ）との折目部（１８）であって上記蓋（１ｂ）嵌合時の接着片（８）の上縁と対応する位置に、上部フラップ（１１ｂ）の折曲げに伴って周壁（４ａ），（４ｂ）外周に突出し、蓋（１ｂ）嵌合時に蓋（１ｂ）内部において上記接着片（８）の天板（６）側上縁に係合する爪部（２１）を切り残し形成してなる包装箱の蓋係止構造。
【請求項２】
折曲げ接着された接着片（８）と爪部（２１）の位置が蓋（１ｂ）の開閉端における正面と側面とのコーナー部（２７）である請求項１の包装箱の蓋係止構造。
【請求項３】
接着片（８）の周壁（７）端側が接着され天板（６）側周縁を非接着部とした請求項１又は２の包装箱の蓋係止構造。
【考案の詳細な説明】
【技術分野】
【０００１】
この考案はケーキ等の収容物を収容する包装箱の蓋係止構造に関する。
【背景技術】
【０００２】
従来の包装箱の蓋係止構造としては、下記特許文献１の図１，図２に示すように、上蓋の左右側壁１７，１８に係合孔５４，５５を形成し、本体側の左右側壁９，１０上縁に突出形成した係止爪部４６，４７，４８，４９を前記上蓋の左右両側壁１７，１８の係合孔５４，５５に嵌合係止して、閉蓋保持を図る紙箱が公知である。また特許文献２の図６に示すように、天板２１に蓋側壁２３及び蓋前壁２２を折曲げ可能に連設し、蓋側壁２３に連設した貼着片２４を蓋前壁２２内面側に接着してなる蓋を備えた包装箱において、容器本体の側壁１２の上端に前端に係止片１４ａを突出形成したフラップ１４を折り曲げ可能に連設し、前記蓋の内面側の貼着片２４の上縁（被係止部２４ａ）に係止片１４ａが嵌合係止して、閉蓋保持を図る包装箱の蓋係止構造等が公知である。
【特許文献１】登録実用新案第３０９５２５６号公報（図１，図２）
【特許文献２】特開２００２‐３７０７３５号公報（図６）
【考案の開示】
【考案が解決しようとする課題】
【０００３】
しかし上記特許文献１の公知技術は、容器本体の側壁の上縁に突出形成した係止爪部を蓋の側壁の係合孔に嵌合し係止固定する構成であるので、係止爪部の突出長さを大きくする必要があるほか、箱組後は蓋側壁に係止爪部が突出しているので見栄えが悪く、突出した係止爪部のために包装紙等で包装する際の妨げになり又は包装紙等を裂傷させるという問題があった。
【０００４】
また特許文献２の公知技術では、箱組後に係止部が包装箱の外側に突出することはないものの、係止部を備えたフラップが容器本体と一体的に固定されていないために、閉蓋後に蓋が浮き上がり閉蓋保持が不安定になるという問題があった。
この考案は、これらの課題を解決又は改善しようとするものである。
【課題を解決するための手段】
【０００５】
上記課題を解決するための本考案の包装箱の蓋係止構造は、第１に、平面視多角形の底板２の外周辺に連設した周壁３ａ，４ａ，４ｂの上端に、略水平方向内向きに折曲げて周壁３ａ，４ａ，４ｂを補強する上部フラップ１１ａ，１１ｂを連設した本体１ａと、該本体１ａの周壁３ａ，４ａ，４ｂの上端に嵌合する蓋周壁７，９を天板６に連設し、隣接し合う蓋周壁７，９の一方の蓋周壁７の端部に他方の蓋周壁９の端部の内面に重なり合うように折曲げ接着して周壁コーナーを形成する接着片８を連設した蓋１ｂとを備え、上記天板６の前辺側を本体１ａ側の前周壁３ａ上端側に被せるように、天板６の後辺側を後方側の周壁３ｂの上端に折曲げ開閉可能に連設した包装箱１において、蓋１ｂが開閉嵌合される本体１ａ側の前端コーナー部２７の周壁４ｂと上部フラップ１１ｂとの折目部１８であって上記蓋１ｂ嵌合時の接着片８の上縁と対応する位置に、上部フラップ１１ｂの折曲げに伴って周壁４ａ，４ｂ外周に突出し、蓋１ｂ嵌合時に蓋１ｂ内部において上記接着片８の天板６側上縁に係合する爪部２１を切り残し形成してなることを特徴としている。
【０００６】
第２に、折曲げ接着された接着片８と爪部２１の位置が蓋１ｂの開閉端における正面と側面とのコーナー部２７であることを特徴としている。
【０００７】
第３に、接着片８の周壁７端側が接着され天板６側周縁を非接着部としたことを特徴としている。
【考案の効果】
【０００８】
以上の如く構成される本考案の包装箱の蓋係止構造によれば、以下に示すような効果を奏するものである。
（１）係合用の爪部が上部フラップの折曲げに伴って周壁外周に突出するように切り残し形成され、該爪部が蓋周壁の接着片の天板側周縁に係合する構成としたので、新たに係合用の係止孔を設ける必要がなく、箱組後に係合用の爪部が突出することがないので外観の見栄えが良くなるほか、係止固定の際に係止音により係止の確認をすることができる。
【０００９】
（２）接着片の天板側を非接着部としたことにより、蓋の周壁である蓋側壁及び蓋前壁を折畳み状態から天板に対してアングル状に起立させた際に、接着片の接着部と蓋側壁に形成された折目との相互作用によって蓋側壁が天板側折畳み方向に戻る力が働き、接着片の天板側周縁が内側に移動することで、本体の側壁上辺に形成された爪部を容易に係止させることができるとともに、爪部の突出長さを小さく形成することが可能となった。
【００１０】
（３）本体の側壁上端に連設した上部フラップが互いに係止固定し合う構造となっているので、周壁周縁に突出形成された爪部が本体と一体的に固定されており、安定して閉蓋保持することができる。
【考案を実施するための最良の形態】
【００１１】
以下本考案の実施形態を図面に基づき説明する。図１は箱組み後の斜視図，図２は箱の組立途中を示す斜視図，図３は内面展開図を示している。
【００１２】
包装箱１は本体１ａと蓋１ｂからなり、本体１ａは正方形又は長方形の底板２に対して周壁として前後壁３ａ，３ｂと左右側壁４ａ，４ｂが折曲げ起伏可能に連設されている。また蓋１ｂは後壁３ｂの延長上に正方形又は長方形の天板６が折曲げ可能に連設されており、天板６の左右端及び前端には蓋１ｂの周壁を形成する左右の蓋側壁７及びそれぞれの左右端に折り曲げ可能に連設した接着片８を備えた蓋前壁９が折曲げ可能に連設され、上記本体１ａに嵌合する蓋１ｂを構成している。
【００１３】
また前壁３ａ及び左右側壁４ａ，４ｂ上端には各周壁の上端を補強する上部フラップ１１ａ，１１ｂが折り曲げ可能に連設されており、該上部フラップ１１ａ，１１ｂを内側にアングル状に折曲げて蓋受け用周縁部を形成している。上部フラップ１１ａの左右両端及び上部フラップ１１ｂの前端には係止用のフック部１２ａ，１２ｂが形成されている。そして左右側壁４ａ，４ｂの前端には前フラップ１３が折り曲げ可能に連設されている。底板２と左右側壁４ａ，４ｂの折目には係止孔１４が切込形成され、後壁３ｂの左右端には接合フラップ１６が折り曲げ可能に連設される。包装箱の組立状態における該接合フラップ１６の前方下端側に前記係止孔１４に嵌合係止する係止爪１７が突出形成されている。
【００１４】
さらに左右側壁４ａ，４ｂと該左右側壁４ａ，４ｂの上端に折り曲げ可能に連設した上部フラップ１１ｂとの折目部１８には、上記蓋１ｂの嵌合時の接着片８の天板６上端縁と対応する位置（この例では前壁３ａ側）にコ字型の切込１９を形成し、上部フラップ１１ｂをアングル状に内側に折曲げた際に左右側壁４ａ，４ｂの外周に突出する爪部２１が切り残し形成されている。
【００１５】
図３の内面展開図に示すように、左右側壁４ａ，４ｂの内面側及び接合フラップ１６の裏側には接着代２２ａ，２２ｂがそれぞれ形成され、左右側壁４ａ，４ｂの後方の底部コーナーを略２等分する方向であって上部フラップ１１ｂの左右前端に至る折目２３（外側において谷線）が形成されている。同様に蓋側壁７の内面側及び接着片８の裏側にも接着代２４ａ，２４ｂが形成され、蓋側壁７には蓋前壁９側の連結基端部コーナーを略２等分する方向に折目２６（外側において谷線）が形成されている。また前壁３ａと左右側壁４ａ，４ｂとで形成されるコーナーをコーナー部２７とする。
【００１６】
上記構成による本包装箱１は、本体１ａでは左右側壁４ａ，４ｂの接着代２２ａを接合フラップ１６の接着代２２ｂに接着固定するとともに、蓋１ｂでは蓋側壁７の接着代２４ａを接着片８の接着代２４ｂに接着固定する。そして折目２３を介して底板２，前壁３ａ上に左右側壁４ａ，４ｂ，接合フラップ１６，後壁３ｂ，上部フラップ１１ｂ折畳んで重ね合わせ、上部フラップ１１ａは前壁３ａの内面側に折返すとともに、天板６内面側にも同様に折目２６を介して蓋側壁７，蓋前壁９，接着片８を折畳んで重ね合わせる。蓋１ｂは後壁３ｂの上端に折曲げ可能に連設されているので、後壁３ｂの底板２上への折畳みに連動して、蓋側壁７，接着片８及び蓋前壁９を折畳んだ蓋１ｂも底板２上に重ね合わせた板状の状態（図示しない）で店頭等の現場へ出荷する。
【００１７】
上述の折畳んだ重ね合わせ状態から、蓋１ｂ及び後壁３ｂを起立方向に回動させた状態で、後壁３ｂに連設した接合フラップ１６が左右側壁４ａ，４ｂに接着固定されているので、後壁３ｂの起立に連動して左右側壁４ａ，４ｂが回動起立する。そして左右側壁４ａ，４ｂの起立と同時に接合フラップ１６の前方下端の係止爪１７を係止孔１４に嵌合させて、左右側壁４ａ，４ｂの起立を保持する。
【００１８】
底板２に対して後壁３ｂ及び左右側壁４ａ，４ｂ，接合フラップ１６を起立させた状態で、ケーキ等の内容物を従来公知のケーキ用のトレー（図示しない）とともに底板２上に挿入載置する。そして前フラップ１３を内側にアングル状に折曲げて前壁３ａを起立させ、上部フラップ１１ａ，１１ｂを水平方向内側にアングル状に折曲げて、フック部１２ａ，１２ｂを互いに係止固定し、前壁３ａの起立を保持し前壁３ａ及び左右側壁４ａ，４ｂを補強するとともに、蓋受け用周縁部を形成し本体１ａを完成させる。また蓋１ｂも天板６に対して蓋前壁９を起立方向に回動させるとともに、接着片８によって蓋前壁９と連動した蓋側壁７も起立方向に回動させ蓋１ｂを形成する。さらに該蓋１ｂを前記本体１ａに嵌合させ、後述する蓋係止構造によって蓋１ｂを係止固定し包装箱１の箱組みを完成させる。
【００１９】
次に図４，５に基づき蓋係止構造について説明する。上述したように接着片８の天板６側周縁と対応する位置にコ字型の切込１９が形成され、上部フラップ１１ｂの水平方向内向きの折曲げに伴って外周に突出した爪部２１が切り残し形成される。そして蓋１ｂを本体１に嵌合させ、蓋１ｂの内部に接着固定された接着片８の天板６側周縁に形成された僅かな隙間に前記爪部２１を係合させ、蓋１ｂの閉蓋保持を図る構成となっている。さらに図５の断面図に示すように、蓋側壁７は折目２６によって折畳まれた状態で出荷されるので、その折り癖によって接着片８の上端が内側に弾力的に付勢される構成としたので、爪部２１が接着片８に係止され蓋をより確実に係止することができる。
【００２０】
以上のように構成される本考案の包装箱の蓋係止構造では、爪部２１をコーナー部２７の左右側壁４ａ，４ｂ側に設け、蓋側壁７の内面側に接着固定された接着片８の天板６側周縁に係合する構成となっているが、例えばコーナー部２７の前壁３ａ側に爪部２１を設け、接着片８を蓋前壁９側内面に形成することもできる。またこの例では底板又は天板は正方形又は長方形と説明したが、上記態様に限らず六角形等のように他の多角形で構成し、その６角形等の底板に起伏可能に連設した隣接する周壁のコーナー部周縁に爪部を突出形成することもできる。
【図面の簡単な説明】
【００２１】
【図１】本包装箱の箱組み完成状態を示す斜視図である。
【図２】本包装箱の組立途中を示す斜視図である。
【図３】本包装箱の内面展開図である。
【図４】本包装箱の蓋係止構造を示す要部拡大斜視図であり、（Ａ）は係止前、（Ｂ）は係止後である。
【図５】図４（Ｂ）のＶ―Ｖ断面図である。
【符号の説明】
【００２２】
１      包装箱
１ａ    本体
１ｂ    蓋
２      底板
３ａ    前壁（周壁）
３ｂ    後壁（周壁）
４ａ    左側壁（周壁）
４ｂ    右側壁（周壁）
６      天板
７      蓋側壁（蓋周壁）
８      接着片
９      蓋前壁（蓋周壁）
１１ａ  上部フラップ
１１ｂ  上部フラップ
１８    折目部
２１    爪部
２７    コーナー部
【図１】
0003102426.tif 000003
【図２】
0003102426.tif 000004
【図３】
0003102426.tif 000005
【図４】
0003102426.tif 000006
【図５】
0003102426.tif 000007